(57)【要約】【課題】１つの弦楽器の機能や外観をその弦楽器を使用する場面に応じて切り換えられるようにする。【解決手段】弾き方の練習用の指板５０の表面５１におけるフレット間には弦１７−ｎの各々と対応する６個のＬＥＤ７が設けられている。ライブ用の指板５０の表面５１におけるフレット間にはＬＥＤライト８が設けられている。早弾き用の指板５０の表面５１にはスキャロップ加工が施されている。電子弦楽器１０の演奏者は、弾き方の練習をする場合は練習用の指板５０を装着し、ライブ演奏する場合はステージ用の指板５０を装着し…というように、電子弦楽器１０を使用する場面に応じてその指板５０を取り替える。【選択図】図１
2011107540.tif 000002
【特許請求の範囲】
【請求項１】
ボディと、
前記ボディに連設された棹と、
前記棹の端部と前記ボディとの間に張設された弦と、
前記棹に対して着脱自在に支持される指板と
を具備することを特徴とする弦楽器。
【請求項２】
前記棹の表面および前記指板の裏面の各々に、互いに嵌合し合う凹部および凸部が設けられていることを特徴とする請求項１に記載の弦楽器。
【請求項３】
前記指板は、
当該指板に固有の識別情報を記憶する記憶手段と、
コネクタと、
前記コネクタが前記棹に設けられたコネクタと接続された場合に、前記記憶手段に記憶された識別情報を読み出し、読み出した識別情報を前記コネクタを介して出力する出力手段と
を具備することを特徴とする請求項１または２に記載の弦楽器。
【発明の詳細な説明】
【技術分野】
【０００１】
本発明は、ボディと棹とにより楽器の本体を構成する弦楽器に関する。
【背景技術】
【０００２】
ギター、ウクレレ、マンドリンなどの弦楽器は、ボディとこのボディに連設された棹の端部との間に複数本の弦を張設した構造をなしている。この種の弦楽器の中には、棹における弦と対向する面に接合された指板上に複数個のＬＥＤ（Light Emitting Diode）を配列し、ＬＥＤの発光を通じて撥弦すべき弦やその弦の押弦位置を案内するようにしたものがある。例えば、特許文献１に開示されたギターは、指板上のフレット間に各弦における押弦位置を案内する赤色のＬＥＤを配し、指板上の最もヘッド寄りのフレットの隣に各弦を開放弦とすべきことを案内する黄色のＬＥＤを配した構成となっている。このギターは、曲の進行に合わせて、撥弦を要する弦やその押弦位置を示すＬＥＤを順次点灯させる。このギターの演奏者は、赤色のＬＥＤの発光により案内された位置を押弦しつつ、赤色または黄色のＬＥＤの発光により案内された弦を撥弦する操作を行っていくことにより、曲のタブ譜を見ることなくその曲の演奏することができる。
【先行技術文献】
【特許文献】
【０００３】
【特許文献１】特開平０５−１９７５１号公報
【発明の開示】
【発明が解決しようとする課題】
【０００４】
ところで、特許文献１に開示されているもののような練習支援機能を有する弦楽器はあまり見栄えが良くない。このため、この種の弦楽器を利用する者は、弾き方の練習を行うときは、練習支援機能を有する弦楽器を使用し、ライブのような聴衆の前での演奏を行うときは、装飾の施された美しい外観の弦楽器を使用したい場合がある。しかし、弦楽器を使用する場面に応じて複数の弦楽器を購入するとその分だけ購入費用が高くなるという問題がある。
本発明は、このような背景の下に案出されたものであり、１つの弦楽器の機能や外観をその弦楽器を使用する場面に応じて切り換えられるようにすることを目的とする。
【課題を解決するための手段】
【０００５】
本発明は、ボディと、前記ボディに連設された棹と、前記棹の端部と前記ボディとの間に張設された弦と、前記棹に対して着脱自在に支持される指板とを具備する弦楽器を提供する。この発明によると、弦楽器の弾き方の練習をする場合はその練習支援機能を有する指板を棹に装着し、ライブ演奏をする場合はその演奏の演出効果を高めるような装飾が施された指板を棹に装着する、というように、弦楽器の指板を取り替えることができる。よって、本発明によると、１つの弦楽器の機能や外観をその弦楽器を使用する場面に応じて切り換えることができる。
【図面の簡単な説明】
【０００６】
【図１】本発明の第１実施形態である電子弦楽器の構成を示す図である。
【図２】同電子弦楽器の指板および棹の側面図である。
【図３】同電子弦楽器の指板の表面図である。
【図４】同電子弦楽器の指板の表面図である。
【図５】同電子弦楽器の指板の表面図および側面図である。
【図６】本発明の第２実施形態である電子弦楽器の指板および棹の表面図および側面図である。
【発明を実施するための形態】
【０００７】
以下、図面を参照しつつ本発明の実施形態について説明する。
＜第１実施形態＞
図１は、本発明の第１実施形態である電子弦楽器１０の構成を示す図である。この電子弦楽器１０は、ソリッド形状に加工されたボディ１１とボディ１１の基端部に連設された棹１２とにより楽器本体１３を構成し、複数種類の指板５０のうち１つを楽器本体１３の棹１２に装着するとともに、棹１２の先端部におけるヘッド１５とボディ１１の表面３１上のブリッジ１６との間に６本の弦１７−ｎ（ｎ＝１〜６）を張設したものである。
【０００８】
この電子弦楽器１０のボディ１１の表面３１には、ブリッジ１６の他に、フロントピックアップ２０とリアピックアップ２１、それら２つのピックアップ２０，２１のうち１つを選択するセレクタ２２、および音量レベルを調整する音量ボリューム２３が設けられている。ピックアップ２０，２１のうちセレクタ２２によって選択されたピックアップ２０または２１は、弦１７−ｎの振動波形を電気信号に変換し、ボディ１１内のアンプ２４に出力する。アンプ２４は、ピックアップ２０，２１の出力信号を音量ボリューム２３の回転角度に応じて増幅し、ボディ１１の側面のジャック２５を介して外部のスピーカユニット（図示略）に出力する。
【０００９】
図２に示すように、電子弦楽器１０の棹１２の表面３０は、ボディ１１の表面３１やヘッド１５の表面３２よりも指板一枚分の幅だけ凹んでおり、この棹１２の表面３０には凹部５−ｍ（ｍ＝１〜６）が間隔を空けて設けられている。また、棹１２の表面３０におけるボディ１１側の縁にはオス型コネクタ３５が設けられている。オス型コネクタ３５は、楽器本体１３とその棹１２に装着された指板５０との間で信号を入出力する入出力端子としての役割を持ったコネクタである。また、指板５０の裏面５２には凸部６−ｍ（ｍ＝１〜６）が間隔を空けて設けられている。指板５０の縁には、オス型コネクタ３５と対をなす入出力端子としての役割を持ったメス型コネクタ５５が設けられている。図２に示すように、指板５０の裏面５２の凸部６−ｍ（ｍ＝１〜６）を棹１２の表面３０の凹部５−ｍ（ｍ＝１〜６）に嵌め込むと、指板５０のメス型コネクタ５５と棹１２のオス型コネクタ３５とが接続され、コネクタ５５，３５同士を接続した状態のまま指板５０が棹１２上に支持される。
【００１０】
また、各指板５０の内部には、ＲＯＭ８１と信号出力部８２とが埋め込まれている。各指板５０のＲＯＭ８１には、各指板５０に固有の識別情報ＩＤが記憶されている。また、各指板５０の信号出力部８２は、当該指板５０のメス型コネクタ５５と棹１２のオス型コネクタ３５とが接続された場合に、ＲＯＭ８１に記憶されている識別情報ＩＤを読み出し、その識別情報ＩＤを示す電気信号をコネクタ５５，３５を介して楽器本体１３側に出力する。
【００１１】
各指板５０の表面５１にはフレット１−ｋ（ｋ＝１〜２２）が埋設されている。そして、各指板５０の表面５１には各々の種類に応じた加工が施されている。本実施形態において、指板５０の種類とその表面５１の加工の内容には次のようなものがある。
ａ１．練習用の指板５０
この指板５０は、指のポジション（具体的には、各弦１７−ｎにおける押弦を要する位置）を確認しながら電子弦楽器１０の弾き方を練習する場合に使用するものである。図３に示すように、この指板５０の表面５１には、フレット１−ｋ（ｋ＝１〜２２）の各々に沿って弦１７−ｎ（ｎ＝１〜６）と対応するＬＥＤ７が６個ずつ設けられている。本実施形態では、各種コード（より具体的には、根音を異にする各種コード（和音））の練習用の指板５０や、各種スケール（より具体的には、異なる音名の音により１オクターブを構成する各種コード（音階））の練習用の指板５０を提供し、これらの指板５０のうちいずれかが棹１２に装着された場合、装着された指板５０と対応するコードやスケールにおける指のポジションをＬＥＤ７の発光を通じて演奏者に案内する。ＬＥＤ７の発光の制御の詳細は後述する。
【００１２】
ｂ１．ステージ用の指板５０
この指板５０は、聴衆のいるステージ上でライブ演奏する場合に使用するものである。図４に示すように、この指板５０の表面５１には、フレット１−２および１−３間、フレット１−４および１−５間、フレット１−６および１−７間、フレット１−８および１−９間に１つずつＬＥＤライト８が設けられている。各ＬＥＤライト８は、複数個のＬＥＤ７を稲妻のモチーフの形状をなすように並べたものである。ここで、１つのＬＥＤライト８は、赤色と青色の２種類のＬＥＤ７からなる。そして、１つのＬＥＤライト８におけるこれら２種類のＬＥＤ７は、当該ＬＥＤライト８の両隣りのフレット１−ｋおよび１−（ｋ＋１）のうちの一方のフレット１−ｋに近いほど赤色のＬＥＤ７の割合が大きくなり、他方のフレット１−（ｋ＋１）に近いほど青色のＬＥＤ７の割合が大きくなるようなレイアウトで並べられている。このようなレイアウトにしたのは、色彩が赤色から青色へとグラデーション状に変化する光をＬＥＤライト８によって発光させるためである。本実施形態では、この指板５０が棹１２に装着された場合、一定のテンポに従ってＬＥＤライト８を点灯させることにより、ライブ演奏における演出効果を高める。ＬＥＤライト８の点灯の制御の詳細は後述する。
【００１３】
ｃ１．早弾き用の指板５０
この指板５０は、早弾き演奏する場合に使用するものである。図５（Ａ）および図５（Ｂ）に示すように、この指板５０の表面５１には、フレット１−ｋおよび１−（ｋ＋１）間を半円柱状に凹ませるスキャロップ加工が施されている。この指板５０が棹１２に装着された場合、軽いタッチでの押弦が可能となり、他の２種類の指板５０を装着した場合に比べて早弾き演奏が行い易くなる。
【００１４】
図１において、電子弦楽器１０のボディ１１には、アンプ２４の他に、電源６１（乾電池）と、電源６１から電力の供給を受けて動作する制御部６２とが内蔵されている。制御部６２は、ＲＯＭ６３、ＲＡＭ６４、およびＣＰＵ６５を有する。ＲＯＭ６３は、ＣＰＵ６５により実行されるプログラムやその他のデータが記憶された読み出し専用メモリである。ＲＡＭ６４は、ＣＰＵ６５にワークエリアを提供する。ＣＰＵ６５は、指板５０からコネクタ５５，３５を介して出力された識別情報ＩＤが練習用の指板５０のうちいずれかのものである場合に第１の指板制御処理を行い、その識別情報ＩＤがステージ用の指板５０のものである場合に第２の指板制御処理を行う。
【００１５】
第１の指板制御処理では、ＣＰＵ６５は、棹１２に装着された指板５０上のＬＥＤ７を発光させる。より詳細に説明すると、ＣＰＵ６５は、指板５０からコネクタ５５，３５を介して受け取った識別情報ＩＤがあるコードの練習用のものである場合、そのコードと対応する押弦位置のＬＥＤ７を駆動させる電気信号をコネクタ３５，５５を介して出力し、ＬＥＤ７を発光させる。また、ＣＰＵ６５は、指板５０からコネクタ５５，３５を介して受け取った識別情報ＩＤがあるスケールの練習用のものである場合、そのスケールにおける１オクターブ分の各音と対応する押弦位置のＬＥＤ７を駆動させる電気信号をコネクタ３５，５５を介して出力し、ＬＥＤ７を発光させる。演奏者は、発光したＬＥＤ７の位置において弦１７−ｎを押さえて撥弦することにより、各種コードや各種スケールの弾き方を練習する。第２の指板制御処理では、ＣＰＵ６５は、所定のテンポにおける拍タイミングｔが到来する度に、ＬＥＤライト８における各ＬＥＤ７を駆動させる電気信号をコネクタ３５，５５を介して出力し、ＬＥＤライト８を点灯させる。
【００１６】
以上説明したように、本実施形態では、同じ電子弦楽器１０の棹１２に装着される複数種類の指板５０を提供する。そして、これら複数種類の指板５０には、各々の種類に応じた加工が施されている。よって、演奏者は、弾き方の練習をする場合は練習用の指板５０を装着し、ライブ演奏する場合はステージ用の指板５０を装着し…というように指板５０を取り替えることにより、１つの電子弦楽器１０の機能や外観をそれを使用する場面に応じて切り換えることができる。
【００１７】
また、各指板５０内のＲＯＭ８１には、各指板５０に固有の識別情報ＩＤが記憶されている。そして、各指板５０内の信号出力部８２は、当該指板５０のメス型コネクタ５５が棹１２のオス型コネクタ３５と接続された場合に、ＲＯＭ８１内の識別情報ＩＤをコネクタ５５，３５を介して楽器本体１３内の制御部６２に出力する。よって、棹１２に装着された指板５０がいかなる制御を要するものであるか（または、制御を要しないものであるか）を、指板５０の制御主体である制御部６２に簡単に認識させることができる。
【００１８】
また、練習用の指板５０とステージ用の指板５０に設けられたＬＥＤ７は、ボディ１１内の制御部６２からコネクタ３５，５５を介して与えられる電気信号によって発光する。よって、指板５０内にはＬＥＤ７の発光を制御する制御回路や電源を内蔵させる必要がない。従って、指板５０自体の幅を厚くすることなく、練習用とステージ用の加工を施すことができる。
【００１９】
＜第２実施形態＞
次に、本発明の第２実施形態について説明する。図６（Ａ）は、本実施形態の第２実施形態である電子弦楽器１０の棹１２’および指板５０’の表面３０および５１を示す図である。図６（Ｂ）は、棹１２’および指板５０’の側面図である。図６（Ａ）および図６（Ｂ）に示すように、棹１２’の表面３０には、当該棹１２’の一方の側面３８から他方の側面３９に向かって延在する凹部５’−ｍ（ｍ＝１〜６）が間隔を空けて設けられている。凹部５’−ｍを当該凹部５’−ｍの延在方向および棹１２’の延在方向と直交する面で切断した断面は、等脚台形状をなしている。そして、この断面の幅は表面３０に近いほど小さくなっている。凹部５’−ｍにおける側面３８側の端部は開放され、その側面３９側の端部は閉塞されている。
【００２０】
また、本実施形態における指板５０’の裏面５２には、当該指板５０’のフレット１−ｋ（ｋ＝１〜２２）と平行に延在する凸部６’−ｍ（ｍ＝１〜６）が間隔を空けて設けられている。凸部６’−ｍを当該凸部６’−ｍの延在方向および指板５０’の延在方向と直交する面で切断した断面は、凹部５’−ｍのものと同サイズの等脚台形状をなしている。そして、この断面の幅は裏面５２に近いほど小さくなっている。
【００２１】
本実施形態では、図６（Ａ）に示すように、指板５０’の凸部６’−ｍを棹１２の側面３８側から凹部５’−ｍ内に挿入し、凹部５’−ｍ内の凸部６’−ｍをスライドさせつつ指板５０’を側面３９側へ押し込むことにより、指板５０’を棹１２’に装着する。本実施形態によると、電子弦楽器１０のヘッド１５とブリッジ１６の間に張設された弦１７−ｎ（ｎ＝１〜６）を取り外すことなく、その棹１２’に装着されている指板５０’を取り替えることができる。
【００２２】
以上、この発明の一実施形態について説明したが、この発明には他にも実施形態があり得る。例えば、以下の通りである。
（１）上記第１および第２実施形態では、指板５０，５０’にＲＯＭ８１および信号出力部８２が内蔵されており、指板５０，５０’が棹１２，１２’に装着された場合に、信号出力部８２がＲＯＭ８１内の識別情報ＩＤを読み出して出力した。しかし、指板５０，５０’にディップスイッチを設け、指板５０，５０’が棹１２，１２’に装着された場合に、このディップスイッチから識別情報ＩＤが出力されるようにしてもよい。
【００２３】
（２）上記第１および第２実施形態は、撥弦楽器の一種であるエレキギターに本発明を適用したものであった。しかし、アコースティックギターやマンドリン、ウクレレといった他の種類の撥弦楽器の指板を着脱可能な構成にしてもよい。また、バイオリンやヴィオラ、チェロなどの擦弦楽器の指板を着脱可能な構成にしてもよい。
【００２４】
（３）上記第１および第２実施形態において、練習用の指板５０，５０’が棹１２，１２’に装着された場合に、楽曲をなす一連のコードを奏でるためのポジションをＬＥＤ７の発光を通じて順次案内するようにしてもよい。この実施形態では、楽曲をなす各コードを各種スケールで演奏するための押弦位置のＬＥＤ７を発音タイミングｔ１，ｔ２，ｔ３…と対応付けたシーケンスデータをＲＯＭ６３に記憶させておく。そして、ＣＰＵ６５は、あるスケールの練習用の指板５０，５０’が棹１２，１２’に装着された場合、そのスケールと対応するシーケンスデータをＲＯＭ６３から読み出す。そして、ＣＰＵ６５は、このシーケンスデータが示す発音タイミングｔ１，ｔ２，ｔ３…が到来する度に、発音タイミングｔ１，ｔ２，ｔ３…と対応するＬＥＤ７を駆動させる電気信号をコネクタ３５，５５を介して出力し、ＬＥＤ７を発光させる。
【００２５】
（４）上記第１および第２実施形態において、電子弦楽器１０の棹１２，１２’に装着される複数種類の指板５０，５０’を載置する台と指板５０，５０’に電力を供給する電源とを有するアダプタをそれら複数種類の指板５０，５０’と併せて提供してもよい、この実施形態によると、例えば、練習用の指板５０，５０’をアダプタに装着するとともに、電子弦楽器１０の棹１２，１２’にライブ用の指板５０を装着し、アダプタに装着した指板５０，５０’上のＬＥＤ７を参照しつつ電子弦楽器１０の弾き方の練習を行うことができる。
【００２６】
（５）上記第１および第２実施形態において、棹１２，１２’の表面３０に凸部６−ｍ（ｍ＝１〜６）を設け、指板５０の裏面５２に凹部５−ｍ（ｍ＝１〜６）を設けてもよい。また、凸部６および凹部５の個数を５個以下としてもよいし、７個以上としてもよい。
【符号の説明】
【００２７】
１…フレット、５，５’…凹部、６，６’…凸部、１０…電子弦楽器、１１…ボディ、１２，１２’…棹、１５…ヘッド、１６…ブリッジ、２０…フロントピックアップ、２１…リアピックアップ、２２…セレクタ、２３…ボリューム、２４…アンプ、２５…ジャック、５０…指板、６１…電源、６２…制御部、６３…ＲＯＭ、６４…ＲＡＭ、６５…ＣＰＵ。
【図１】
2011107540.tif 000003
【図２】
2011107540.tif 000004
【図３】
2011107540.tif 000005
【図４】
2011107540.tif 000006
【図５】
2011107540.tif 000007
【図６】
2011107540.tif 000008